(57)【要約】【課題】  記録材表面の総色材料の均一化を実現し、光の乱反射を押さえて画質を向上させること。【解決手段】  プリンタに初期値として登録されている色材色分解用のLUT(ルックアップテーブル)を用いて入力された画像をプリンタのインク色に合わせて色分解する色変換手段である色材色分解部101、色材色分解部101によりインク色分解されたデータから各画素の成分色材使用量である総色材料を算出し、その最大値を求める成分色材使用量算出手段である総色材料算出部102、および総色材料算出部102において算出された全画素の総色材料を元に、総色材料が最大となる画素の総色材料を用いて全画素の総色材料を最大色材量になるように再調整する調整制御手段である総色材料調整部103を備える。【選択図】  図１
2006150810.tif 000002
【特許請求の範囲】
【請求項１】
入力画像データの各色成分を、画像形成するための複数の色材の成分に変換して該複数の色材の成分ごとに表された出力画像データを出力する色変換手段と、
前記出力画像データの各画素について前記変換された複数の色材の成分ごとの使用量の合計である成分色材使用量を算出する成分色材使用量算出手段と、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御手段と
を備えたことを特徴とする画像処理装置。
【請求項２】
前記複数の色材は透明色材を含み、前記調整制御手段は、前記各画素についての成分色材使用量と前記目標成分色材使用量との差分の前記透明色材を追加して前記複数の色材の成分ごとの使用量を調整することを特徴とする請求項１に記載の画像処理装置。
【請求項３】
前記複数の色材は濃度の異なる同一の色相を持つ色材を含み、前記調整制御手段は、前記各画素についての成分色材使用量と前記目標成分色材使用量との差分を前記異なる同一の色相を持つ色材を所定の割合で配合して前記複数の色材の成分ごとの使用量を調整することを特徴とする請求項１に記載の画像処理装置。
【請求項４】
前記調整制御手段は、前記目標成分色材使用量を前記出力画像データ中の前記各画素についての成分色材使用量の最大値に基づいて決定することを特徴とする請求項１、２または３に記載の画像処理装置。
【請求項５】
前記成分色材使用量と光沢度との関係を算出する光沢度関係算出手段をさらに備え、前記調整制御手段は、当該算出された前記成分色材使用量と光沢度との関係により前記出力画像データ中の前記各画素についての成分色材使用量の最大値における光沢度と同一になる前記各画素についての成分色材使用量の最小値を算出して、前記目標成分色材使用量を前記各画素についての成分色材使用量の最小値と決定することを特徴とする請求項４に記載の画像処理装置。
【請求項６】
ユーザが所望する前記入力画像データの画像形成された場合の光沢度である指定光沢度の入力を受け取る指定光沢度入力手段
をさらに備え、前記調整制御手段は、前記目標成分色材使用量を、前記各画素についての成分色材使用量と前記受け取られた指定光沢度から算出される必要色材使用量とにより決定することを特徴とする請求項１に記載の画像処理装置。
【請求項７】
前記色変換手段は、所定の色体系と異なる色体系との対応関係を表すルックアップテーブルにより、入力画像データの変換を行うことを特徴とする請求項１ないし６のいずれかに記載の画像処理装置。
【請求項８】
前記色変換手段は、マトリックス変換により、入力画像データの変換を行うことを特徴とする請求項１ないし６のいずれかに記載の画像処理装置。
【請求項９】
前記複数の色材の成分は、イエロー、マゼンタ、シアンを含むことを特徴とする請求項１ないし８のいずれかに記載の画像処理装置。
【請求項１０】
前記複数の色材の成分は、黒をさらに含むことを特徴とする請求項９に記載の画像処理装置。
【請求項１１】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御ステップと
を備えたことを特徴とする画像処理方法。
【請求項１２】
前記複数の色材は透明色材を含み、前記調整制御ステップにおいて、前記各画素についての成分色材使用量と前記目標成分色材使用量との差分の前記透明色材を追加して前記複数の色材の成分ごとの使用量を調整することを特徴とする請求項１１に記載の画像処理方法。
【請求項１３】
前記複数の色材は濃度の異なる同一の色相を持つ色材を含み、前記調整制御ステップにおいて、前記各画素についての成分色材使用量と前記目標成分色材使用量との差分を前記異なる同一の色相を持つ色材を所定の割合で配合して前記複数の色材の成分ごとの使用量を調整することを特徴とする請求項１１に記載の画像処理方法。
【請求項１４】
前記調整制御ステップは、前記目標成分色材使用量を前記出力画像データ中の前記各画素についての成分色材使用量の最大値に基づいて決定することを特徴とする請求項１１、１２または１３に記載の画像処理方法。
【請求項１５】
前記成分色材使用量と光沢度との関係を算出する光沢度関係算出ステップをさらに備え、前記調整制御ステップは、当該算出された前記成分色材使用量と光沢度との関係により前記出力画像データ中の前記各画素についての成分色材使用量の最大値における光沢度と同一になる前記各画素についての成分色材使用量の最小値を算出して、前記目標成分色材使用量を前記各画素についての成分色材使用量の最小値と決定することを特徴とする請求項１４に記載の画像処理方法。
【請求項１６】
ユーザが所望する前記入力画像データの画像形成された場合の光沢度である指定光沢度の入力を受け取る指定光沢度入力ステップ
をさらに備え、前記調整制御ステップは、前記目標成分色材使用量を、前記各画素についての成分色材使用量と前記受け取られた指定光沢度から算出される必要色材使用量とにより決定することを特徴とする請求項１１に記載の画像処理方法。
【請求項１７】
前記色変換ステップは、所定の色体系と異なる色体系との対応関係を表すルックアップテーブルにより、入力画像データの変換を行うことを特徴とする請求項１１ないし１６のいずれかに記載の画像処理方法。
【請求項１８】
前記色変換ステップは、マトリックス変換により、入力画像データの変換を行うことを特徴とする請求項１１ないし１６のいずれかに記載の画像処理方法。
【請求項１９】
前記複数の色材の成分は、イエロー、マゼンタ、シアンを含むことを特徴とする請求項１１ないし１８のいずれかに記載の画像処理方法。
【請求項２０】
前記複数の色材の成分は、黒をさらに含むことを特徴とする請求項１９に記載の画像処理方法。
【請求項２１】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、所定の手法により前記出力画像データ中の前記各画素についての成分色材使用量が前記目標成分色材使用量になるように前記複数の色材の成分ごとの使用量を調整して調整画像データを出力する調整制御ステップと
を備えた命令を実行するプログラム。
【請求項２２】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、所定の手法により前記出力画像データ中の前記各画素についての成分色材使用量が前記目標成分色材使用量になるように前記複数の色材の成分ごとの使用量を調整して調整画像データを出力する調整制御ステップと
を備えた命令を実行するプログラムを格納したコンピュータ読取可能な記録媒体。
【発明の詳細な説明】
【技術分野】
【０００１】
本発明は、画像処理方法、装置およびプログラムに関し、より詳細には、複数の色材及び透明材を組み合わせて目標となる色を再現する画像処理方法、装置およびプログラムに関する。
【背景技術】
【０００２】
一般に、印刷や、各種プリンタにおいてカラープリントする場合にはY（イエロー）、M(マゼンタ)、C(シアン)とK(ブラック)の４つの色材を用いることが多い。スキャナ等で入力、あるいはデータとして取り込まれたＲＧＢカラー画像データから、上記の４色の色材を組み合わせて目標色を再現して画像形成する際の画像を色材色で表現するためのルックアップテーブル（LUT）作成方法やマトリクス算出法が多数提案されている。
【０００３】
例えば、まずY（イエロー）、M(マゼンタ)、C(シアン)とK(ブラック)の計４色材成分の内の１つであるK(ブラック)成分の色材使用量を計算して決定し、その量に基づいて残りの３色材Y（イエロー）、M(マゼンタ)とC(シアン)成分の使用量を決定する方法が提案されている（例えば、特許文献１参照）。
【０００４】
【特許文献１】特開平６−２４２５２３号公報
【発明の開示】
【発明が解決しようとする課題】
【０００５】
しかし、上述の方法では目標となる色は実現されるが、記録材表面上に残る色材使用量が考慮されておらず、すなわち特に顔料の色材を使用した場合には、染料色材とは異なり印刷紙面上に色材が残る特性を持っていることから、記録材上の各色材成分使用量の総合計である総色材量にむらができプリント表面の荒れにつながり、このような表面の荒れが光の乱反射を起こし結果としてプリント画像を劣化させるという問題がある。
【０００６】
本発明は上記問題点に鑑みてなされたものであり、出力画像データの各画素について変換された複数の色材の成分ごとの使用量である成分色材使用量を合計する成分色材使用量算出手段と、各画素についての成分色材使用量に基づいて目標成分色材使用量を決定し、所定の手法により出力画像データ中の各画素についての成分色材使用量が目標成分色材使用量になるように複数の色材の成分ごとの使用量を調整して調整画像データを出力する調整制御手段とを備えることにより、記録材表面の総色材料の均一化を実現し、光の乱反射を押さえて画質を向上させる画像処理方法、装置およびプログラムの提供を目的とする。
【課題を解決するための手段】
【０００７】
本発明は上記の課題を解決することを目的とし、本発明の画像処理装置は、入力画像データの各色成分を、画像形成するための複数の色材の成分に変換して複数の色材の成分ごとに表された出力画像データを出力する色変換手段と、出力画像データの各画素について変換された複数の色材の成分ごとの使用量の合計である成分色材使用量を算出する成分色材使用量算出手段と、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御手段とを備えたことを特徴とする。
【０００８】
本発明の画像処理方法は、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御ステップとを備えたことを特徴とする。
【０００９】
本発明のプログラムは、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、所定の手法により出力画像データ中の各画素についての成分色材使用量が目標成分色材使用量になるように複数の色材の成分ごとの使用量を調整して調整画像データを出力する調整制御ステップとを備えた命令を実行する。
【００１０】
本発明のコンピュータ読取可能な記録媒体は、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、所定の手法により出力画像データ中の各画素についての成分色材使用量が目標成分色材使用量になるように複数の色材の成分ごとの使用量を調整して調整画像データを出力する調整制御ステップとを備えた命令を実行するプログラムを格納している。
【発明の効果】
【００１１】
本発明によれば、出力画像データの各画素について変換された複数の色材の成分ごとの使用量である成分色材使用量を合計する成分色材使用量算出手段と、各画素についての成分色材使用量に基づいて目標成分色材使用量を決定し、所定の手法により出力画像データ中の各画素についての成分色材使用量が目標成分色材使用量になるように複数の色材の成分ごとの使用量を調整して調整画像データを出力する調整制御手段とを備えているので、記録材表面の総色材料の均一化を実現し、光の乱反射を押さえて画質を向上させることができる。
【発明を実施するための最良の形態】
【００１２】
以下、図面を参照して本発明による画像処理方法を説明する。  
（第１実施形態）
図１は、本発明にかかる一実施形態における画像形成装置であるカラープリンタの色分解システムの全体構成を示すブロック図である。図１に示すように、本実施形態のカラープリンタの色分解システムは、プリンタに初期値として登録されている色材色分解用のLUT(ルックアップテーブル)を用いて、入力された画像をプリンタのインク色に合わせて色分解する色変換手段である色材色分解部101、色材色分解部101によりインク色分解されたデータから各画素の成分色材使用量である総色材料を算出し、その最大値を求める成分色材使用量算出手段である総色材料算出部102、および総色材料算出部102において算出された全画素の総色材料、基づいて総色材料が最大となる画素の総色材料を用いて全画素の総色材料を最大色材量になるように再調整する調整制御手段である総色材料調整部103を備える。
【００１３】
図２は、本実施形態の一例である色分解画像処理システムを示している。同図において、コンピュータシステムとしてのパーソナルコンピュータ202は、画像信号入力装置としての分光光度計201から読み取られた画像信号が入力され、編集・保管することが可能であり、さらにここで得られた画像信号情報をディスプレイ203に表示させたり、プリンタ204から出力させたりすることが可能である。
【００１４】
図３は、図２の構成における主要部を機能モジュールとしてのブロックにより表現したブロック図である。図３において、インターフェースＩ／Ｆ301は、ユーザーが各種マニュアル指示等を入力するためのマウス及びキーボード313とコンピュータシステム202とをつなぎ、インターフェースＩ／Ｆ302は、コンピュータシステム202と分光光度計201等の画像入力機器とをつなぐ。
【００１５】
ＣＵＰ303は、内部の各ブロックの動作を制御、あるいは内部に記憶されたプログラムを実行する。ＲＯＭ304は、あらかじめ必要な画像処理プログラム等が記憶されている。ＲＡＭ305には、ＣＰＵ303にて処理を行うために一時的にプログラムや処理対象の画像データを格納しておくである。ディスプレイ制御装置306は、処理対象の画像を表示したり、操作者へのメッセージを表示するディスプレイ装置203の制御を行うである。インターフェースＩ／Ｆ307は、コンピュータシステム202とカラープリンタ204とをつなぐ。
【００１６】
ハードディスク(ＨＤ)308には、ＲＡＭ305等に転送されるプログラムや画像データをあらかじめ格納したり処理後の画像データを保存することができる。インターフェースＩ／Ｆ309は、コンピュータシステムの各所に保持する様々なデータを外部機器へ伝送したり、外部機器からの様々なデータを受信したりすることが可能なモデムやネットワークカード等の伝送機器314とコンピュータシステムとをつなぐ。ＣＤドライブ310は、外部記憶媒体の一つであるＣＤ(ＣＤ−Ｒ／ＣＤ−ＲＷ／ＤＶＤ等を含む)に記憶されたデータを読み込み、あるいは書き出すことができる。
【００１７】
ＦＤドライブ311は、同様にＦＤからの読み込み、ＦＤへの書き出しができる。なお、ＣＤ、ＦＤ、ＤＶＤ等に画像編集用のプログラム、あるいはプリンタ情報等が記憶されている場合には、これらのプログラムはＨＤ308上にインストールされ、必要に応じてＲＡＭ305に転送して実行される。サウンドインターフェースＩ／Ｆ312により、外部ライン入力315やマイク316が接続され、外部からの音声データが入力される。
【００１８】
図4は、図2及び図3に示した構成上で、本実施例を説明するための動作手順を示すフローチャートである。図4のフローチャートに示す手順を記述したコンピュータ実行可能なプログラムを、あらかじめＲＯＭ304に格納しておき、あるいは予め外部記憶装置308に格納されているプログラムをＲＡＭ305上に読み込んだのちに、ＣＰＵ303によりプログラム実行することにより本実施例が実施される。以下に、本実施形態における処理の流れを図4に示すフローチャートを用いて説明する。
【００１９】
まず、ステップS401において、入力画像信号を取得する。入力画像信号は、図３に示す分光光度計201を用いて入力されたり、図３には図示しないが、カラーイメージスキャナ等を画像入力機器との接続Ｉ／Ｏ302に接続し、これを用いて入力されたりするほか、外部記憶装置308、ＣＤドライブ310やＦＤドライブ311からの入力も可能である。ここで、画像信号とは、R(レッド)、G(グリーン)、B(ブルー)、あるいはL*a*b*などの基本色成分ごとの情報である。入力された入力画像データである入力画像信号は、後の処理の為、ＲＡＭ305に記憶される。
【００２０】
次に、ステップS402において、各入力画像信号に対する色材信号の組み合わせを四面体補間・立方体補間等の適切な補間方法を用いたLUT処理を行って計算する。ステップS402を終了すると、次にステップS403に進む。ステップS403では、ステップS402で計算された全ての色材信号の組み合わせについて、全画素それぞれの総色材使用量を計算する。計算された結果は、ＲＡＭ305に記憶されるか、データ量が大きくなってしまう場合は外部記憶装置308なども利用して記憶される。
【００２１】
次に、ステップS404において、ステップS403で計算された全画素の総色材使用量のうち最大値を決定する。決定された結果は、ＲＡＭ305に記憶される。ステップS405では、ステップS404で設定された目標成分色材使用量である目標総色材量に対し、全画素において総色材使量と透明色材使用量との合計が同じになるように透明色材の使用量を決定する。
【００２２】
ステップS406では、ステップS402で求められた色材信号の組み合わせとステップS405で求められた透明色材料の使用量とがＲＡＭ305を介して出力され、ＣＰＵ303は、プリンタ204に対して印刷のコマンドを発行する。ステップS406を終えると、一連の操作を終了する。
【００２３】
以上説明したように、記録材表面の総色材料の均一化を実現し、光の乱反射を押さえて画質を向上させることができる。
【００２４】
（第２実施形態）
上述の第１実施形態においては、ステップS405における透明色材使用量の決定はステップS404において計算された目標総色材料とステップS403において計算された各画素の色材総使用量の差によって計算されていたが、本実施形態では、ステップS405において計算される透明色材使用量が目標総色材料で実現される光沢度と同等な総使用量を実現する別の方法を提供する。以下に図５等を参照して、本実施形態について説明する。
【００２５】
電子写真等においては、定着のプロセス特性などで総使用量と光沢度の関係が例えば図５に示されるようなリニアな関係ではない場合がある。同図に示されるようにA点とB点は総使用量が違うものの光沢度は同等である。このような場合は、第１実施形態で説明した方法とは異なる方法によりステップS405で示される処理を行うことができる。このような処理の一例を、図６のフローチャートに示す。図６を参照して処理の流れを説明すると、ステップS601においてステップS404で算出された目標総色材量を算出する。
【００２６】
次に、ステップS602においては、例えば図５に示されるような光沢度と総使用量の関係を参照し、目標総色材量がBの点であれば、光沢度が同等になる総使用量最小の点Aを新たな目標総色材量として設定する。計算された結果は、ＲＡＭ305に記憶される。最後に、ステップS603において、ステップS602で設定された新たな目標総色材量とステップS403において算出された総色材使用量の差から透明色材使用量を計算する。ステップS603を終了すると、ステップS405にもどって終了する。
以上により本実施形態では効率的に色材使用量を制御することができる。
【００２７】
（第３実施形態）
図７は、図２及び図３に示した構成の装置上で、本発明を実施するための動作手順を示すフローチャートである。図７のフローチャートに示す手順を記述したコンピュータ実行可能なプログラムを、あらかじめＲＯＭ304に格納しておき、あるいはあらかじめ外部記憶装置308に格納されているプログラムをＲＡＭ305上に読み込んだのちに、ＣＰＵ303によりプログラムを実行することにより本発明を実施する。
【００２８】
以下に、本実施の形態における処理の流れを図７に示すフローチャートを用いて説明するが、図４を参照して説明した第１実施形態と共通するステップは同一符号とし、共通しないステップについては別符号を付した。まず、ステップS401において、第１実施形態と同様に入力画像信号を取得する。
【００２９】
次に、ステップS701において、画像を入力した出力者が所望する光沢感を指定光沢度入力手段であるディスプレイ装置203に表示された、例えば図８に示されるようなスライダバーのようなUI(ユーザーインターフェース)に従い、マウス及びキーボード313を用いて指定する。次に、ステップS402〜404においては第１実施形態と同様の処理を行う。
【００３０】
ステップS702では、ステップS404で設定された最大総色材量に対し、図５に示されるような総使用量と光沢度の関係から、最大色材量により実現される光沢度を参照して、参照された結果はＲＡＭ305に記憶される。
【００３１】
次に、ステップS703では、ステップS702で参照された光沢度がステップS701で入力されたユーザー所望の光沢度と比較され、光沢度が低い場合には、所望の光沢度を実現するように目標総使用量が導出され、以降の処理のため目標総使用量をＲＡＭ305に記憶する。また、ユーザー所望の光沢度より高かった場合には、（１）濃淡インクシステムを使用している場合、淡インクを濃インクに置き換えて色材使用量を抑える、（２）色材総使用量が現在の目標総使用量となるような新たなLUTをドライバに内蔵されたLUTから選択したり、外部記憶装置308、ＣＤドライブ310やＦＤドライブ311上に記憶から、または外部機器からの様々なデータを受信することが可能なモデムやネットワークカード等の伝送機器314を介して取得したりするなどする。この場合も同じく目標総使用量を導出し、以下の処理のため目標総使用量をＲＡＭ305に記憶する。
【００３２】
ステップS405では、ステップS703で設定された目標総色材量に対し、全画素において総色材使量と透明色材使用量が同じになるように透明色材の使用量を決定する。ステップS406では、ステップS701で求められた色材信号の組み合わせ又はステップS703で再設定された色材信号の組み合わせとステップS405で求められた透明色材料の使用量がＲＡＭ305を介して出力され、ＣＰＵ303は、プリンタ204に対して印刷のコマンドを発行する。ステップS406を終えると、一連の処理が終了する。
【００３３】
以上説明したように本実施形態によると、ユーザは光沢度を指定することができ、この指定に基づき効率的な色材の使用量の制御が可能となる。
【００３４】
（第４実施形態）
上述の第１および３実施形態においては、ステップS402からで行われるインク量の組み合わせの計算は、LUT(ルックアップテーブル)を元に計算されていたが本発明はこれに限るものではない。すなわち、本実施形態では前述のようなマトリクス処理を行い色材料を計算する構成にしたものであり、その他の点は、第１および３実施形態と同様である。
【００３５】
以上により本実施形態では、マトリックス処理を用いて得られる利点を得ることができる。
【００３６】
以上、種々の実施形態体について説明したが、本発明は上記実施形態を実現する為の装置及び方法のみに限定されるものではなく、上記システム又は装置内のコンピュータ（CPUあるいはMPU）に、上記実施形態を実現する為のソフトウエアのプログラムコードを供給し、このプログラムコードに従って上記システムあるいは装置のコンピュータが上記各種デバイスを動作させることにより上記実施形態を実現する場合も本発明の範疇に含まれる。
【００３７】
またこの場合、ソフトウエアのプログラムコード自体が上記実施形態の機能を実現することになり、そのプログラムコード自体、及びそのプログラムコードをコンピュータに供給する為の手段、具体的には上記プログラムコードを格納した記憶媒体は本発明の範疇に含まれる。
【００３８】
この様なプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ROM等を用いることができる。
【００３９】
また、上記コンピュータが、供給されたプログラムコードのみに従って各種デバイスを制御することにより、上記実施形態の機能が実現される場合だけではなく、上記プログラムコードがコンピュータ上で稼働しているOS(オペレーティングシステム)、あるいは他のアプリケーションソフト等と共同して上記実施形態が実現される場合にもかかるプログラムコードは本発明の範疇に含まれる。
【００４０】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるCPU等が実際の処理の一部又は全部を行い、その処理によって上記実施形態が実現される場合も本発明の範疇に含まれる。
【００４１】
また、上述した種々の特徴点の少なくとも１つを含む構成であれば本発明の範疇に含まれる。
【図面の簡単な説明】
【００４２】
【図１】本発明の一実施形態における色分解画像処理システムの一例を示す図である。
【図２】本発明の一実施形態における色分解画像処理システムの一例の一部を示す図である。
【図３】本発明の一実施形態の色分解画像処理システムの各モジュールを示す図である。
【図４】本発明の第１実施形態における色分解画像処理の動作を示すフローチャートである。
【図５】本発明の一実施形態における総使用量及び光沢度のグラフの一例を示す図である。
【図６】本発明の第２実施形態における色分解画像処理の動作を示すフローチャートである。
【図７】本発明の第３実施形態における色分解画像処理の動作を示すフローチャートである。
【図８】本発明の一実施形態における光沢度指定UIの一例を示す図である。
【符号の説明】
【００４３】
１０１  色材色分解部
１０２  総色材量算出部
１０３  総色材量調整部
２０１  分光光度計
２０２  パーソナルコンピュータ
２０３  ディスプレイ
２０４  プリンタ
３０３  ＣＰＵ
３０４  ＲＯＭ
３０５  ＲＡＭ
３１３  キーボード、マウス
３１４  モデム等
３１５  外部入力ライン
【図１】
2006150810.tif 000003
【図２】
2006150810.tif 000004
【図３】
2006150810.tif 000005
【図４】
2006150810.tif 000006
【図５】
2006150810.tif 000007
【図６】
2006150810.tif 000008
【図７】
2006150810.tif 000009
【図８】
2006150810.tif 000010